【手続補正書】
【提出日】平成24年6月7日(2012.6.7)
【手続補正１】
【補正対象書類名】明細書
【補正対象項目名】００１２
【補正方法】変更
【補正の内容】
【００１２】
本発明に基づく血圧情報測定装置用カフの一の局面では、被測定部位を圧迫するための流体袋と、上記流体袋を被測定部位に向けて付勢するためのカーラと、上記流体袋および上記カーラを収容し、上記流体袋および上記カーラを被測定部位に装着するため、被測定部位に巻きつけられる帯状形態の袋状カバー体とを備え、上記カーラは、被測定部位への巻き付け方向に沿う湾曲形状に成型されるとともに、曲率半径が変化する第１変曲点と第２変曲点とを含み、上記第１変曲点と上記第２変曲点との間は、上記第１変曲点および上記第２変曲点の、それぞれの上記カーラの端部側の上記カーラを曲率に沿って延長した位置よりも内側となるように成型され、上記第１変曲点と上記第２変曲点との中心位置と、上記流体袋の被測定部位への巻き付け方向に沿う中心位置とが重なるように設けられる。
【手続補正２】
【補正対象書類名】明細書
【補正対象項目名】００１５
【補正方法】変更
【補正の内容】
【００１５】
上記発明に基づいた血圧情報測定装置用カフの他の局面では、被測定部位を圧迫するための流体袋と、上記流体袋を被測定部位に向けて付勢するためのカーラと、上記流体袋および上記カーラを収容し、上記流体袋および上記カーラを被測定部位に装着するため、被測定部位に巻きつけられる帯状形態の袋状カバー体とを備え、上記カーラは、被測定部位への巻き付け方向に沿う湾曲形状に成型されるとともに、曲率半径が変化する第１変曲点と第２変曲点とを含み、上記第１変曲点と上記第２変曲点との間は、上記第１変曲点および上記第２変曲点のそれぞれの上記カーラの端部側の上記カーラを曲率に沿って延長した位置よりも内側となるように成型され、上記第１変曲点と上記第２変曲点との間の上記カーラと、上記流体袋の中心位置とが重なるように配置される。
【手続補正３】
【補正対象書類名】明細書
【補正対象項目名】００２６
【補正方法】変更
【補正の内容】
【００２６】
血圧計用カフ１５０は、帯形状の外観を有し、被験者の上腕の周囲に巻き付けられる。血圧計用カフ１５０は、上腕を圧迫するための流体袋１６１と、流体袋１６１を上腕に巻き付けて装着するための袋状カバー体１６６とを有する。流体袋１６１は、袋状カバー体１６６の内部に設けられた空間に収容されている。
【手続補正４】
【補正対象書類名】明細書
【補正対象項目名】００２７
【補正方法】変更
【補正の内容】
【００２７】
図２は、図１中の血圧計の構成を示す機能ブロック図である。図１および図２を参照して、装置本体１１０の内部には、血圧計用カフ１５０に内包された流体袋１６１に空気を供給または排出するための血圧測定用エア系コンポーネント１３１が設けられている。
【手続補正５】
【補正対象書類名】明細書
【補正対象項目名】００２８
【補正方法】変更
【補正の内容】
【００２８】
血圧測定用エア系コンポーネント１３１は、流体袋１６１内の圧力を検出する圧力検出手段である圧力センサ１３２と、流体袋１６１を膨縮させるための膨縮機構部１３３であるポンプ１３４および弁１３５とを有する。装置本体１１０の内部には、血圧測定用エア系コンポーネント１３１に関連して発振回路１３６、ポンプ駆動回路１３７および弁駆動回路１３８が設けられている。
【手続補正６】
【補正対象書類名】明細書
【補正対象項目名】００３０
【補正方法】変更
【補正の内容】
【００３０】
圧力センサ１３２は、流体袋１６１内の圧力（以下、「カフ圧」という）を検出し、検出した圧力に応じた信号を発振回路１３６に出力する。ポンプ１３４は、流体袋１６１に空気を供給する。弁１３５は、流体袋１６１内の圧力を維持したり、流体袋１６１内の空気を排出したりする際に開閉する。発振回路１３６は、圧力センサ１３２の出力値に応じた発振周波数の信号をＣＰＵ１２１に出力する。ポンプ駆動回路１３７は、ポンプ１３４の駆動をＣＰＵ１２１から与えられる制御信号に基づいて制御する。弁駆動回路１３８は、弁１３５の開閉制御をＣＰＵ１２１から与えられる制御信号に基づいて行なう。
【手続補正７】
【補正対象書類名】明細書
【補正対象項目名】００３２
【補正方法】変更
【補正の内容】
【００３２】
図２および図３を参照して、被験者が血圧計１００の操作部１２４の操作ボタンを操作
して電源をオンにすると血圧計１００の初期化がなされる（ステップＳ１）。次に、測定可能状態になると、ＣＰＵ１２１はポンプ１３４の駆動を開始し、流体袋１６１のカフ圧を徐々に上昇させる（ステップＳ２）。カフ圧を徐々に加圧する過程において、カフ圧が血圧測定のために必要な所定のレベルにまで達すると、ＣＰＵ１２１はポンプ１３４を停止し、次いで閉じていた弁１３５を徐々に開いて流体袋１６１の空気を徐々に排気し、カフ圧を徐々に減圧させ（ステップＳ３）、このカフ圧の微速減圧過程においてカフ圧の検出が行なわれる。
【手続補正８】
【補正対象書類名】明細書
【補正対象項目名】００３４
【補正方法】変更
【補正の内容】
【００３４】
なお、以上において説明した測定方式は、流体袋の減圧時に脈波を検出して血圧値を算出するいわゆる減圧測定方式に基づいたものであるが、流体袋の加圧時に脈波を検出して血圧値を算出するいわゆる加圧測定方式を採用することも当然に可能である。
【手続補正９】
【補正対象書類名】明細書
【補正対象項目名】００３６
【補正方法】変更
【補正の内容】
【００３６】
この血圧計用カフ１５０は、被験者の上腕を圧迫するための流体袋１６１と、流体袋１６１を上腕に向けて付勢するためのカーラ１９１と、流体袋１６１およびカーラ１９１を収容しながら被験者の上腕に流体袋１６１を装着するため、被験者の上腕に巻きつけられる帯状形態の袋状カバー体１６６とを備えている。
【手続補正１０】
【補正対象書類名】明細書
【補正対象項目名】００３７
【補正方法】変更
【補正の内容】
【００３７】
袋状カバー体１６６の流体袋１６１が収容される外面には、袋状カバー体１６６が被験者の上腕に巻き付けられた状態において、袋状カバー体１６６の一端が袋状カバー体１６６の他端側に係合するための面ファスナ１９２が設けられている。袋状カバー体１６６には、好適にはポリアミド（ＰＡ）、ポリエステル等の合成繊維からなる布地によって形成されている。
【手続補正１１】
【補正対象書類名】明細書
【補正対象項目名】００３８
【補正方法】変更
【補正の内容】
【００３８】
カーラ１９１は、流体袋１６１を上腕に向けて付勢するための湾曲弾性板である。カーラ１９１を展開した状態においては帯形状を有する。カーラ１９１は、上腕にフィットするように、上腕の軸方向に延びる円筒形状に形成されており、環状に巻き回されることによって径方向に弾性変形可能に構成された可撓性の部材からなる。カーラ１９１は、十分な弾性力を発現するように、たとえばポリプロピレン（ＰＰ）等の樹脂部材にて形成されている。
【手続補正１２】
【補正対象書類名】明細書
【補正対象項目名】００３９
【補正方法】変更
【補正の内容】
【００３９】
流体袋１６１を形成する樹脂シートの材質としては、伸縮性に富んだ材料が用いられ、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【手続補正１３】
【補正対象書類名】明細書
【補正対象項目名】００４０
【補正方法】変更
【補正の内容】
【００４０】
血圧計用カフ１５０には、装置本体１１０から流体袋１６１内に空気を導入または排出するためのエア接続口１４６が設けられている。このエア接続口１４６は、上腕に巻き付けた状態において、上腕の頂上位置（Ｌ２）となるように、血圧計の取扱説明書に説明されているとともに、血圧計用カフ１５０に示されている。また、血圧計用カフ１５０には
、動脈位置（Ｌ１）が示されている。
【手続補正１４】
【補正対象書類名】明細書
【補正対象項目名】００４１
【補正方法】変更
【補正の内容】
【００４１】
図５および図６を参照して、血圧の測定においては、流体袋１６１の中心位置を動脈の直上にあわせることが重要であることから、動脈位置（Ｌ１）と流体袋１６１の上腕への巻き付け方向に沿う中心位置とが重なるように、流体袋１６１は、袋状カバー体１６６内において保持されている。エア接続口１４６（頂上位置（Ｌ２））と動脈位置（Ｌ１）との間隔は、約４０ｍｍに設定されている。
【手続補正１５】
【補正対象書類名】明細書
【補正対象項目名】００４８
【補正方法】変更
【補正の内容】
【００４８】
これにより、上腕に血圧計用カフ１５０を緩く装着した場合であっても、直線状の連結部１９１ｃの中心位置Ｌ１は、動脈位置Ｌ１の直上に位置していることから、従来の構造
に比べて、カーラ１９１と上腕の表面との距離を短くすることができる。その結果、流体袋１６１の膨張方向を上腕の軸中心方向へ向かわせることができる。また、２つの変曲点の間に流体袋１６１を押圧することができるため、流体袋１６１への皺の発生を抑制することができる。
【手続補正１６】
【補正対象書類名】明細書
【補正対象項目名】００４９
【補正方法】変更
【補正の内容】
【００４９】
これにより、血圧計を用いた血圧測定時において、従来の構造に比べて、カーラ１９１と上腕の表面との距離が短いことから、流体袋１６１の容積変化の誤差を小さくすることができ、血圧測定の誤差を小さくすることが可能となる。
【手続補正１７】
【補正対象書類名】明細書
【補正対象項目名】００５３
【補正方法】変更
【補正の内容】
【００５３】
上記カーラ１９１Ｂおよびカーラ１９１Ｃの構成であっても、上腕に血圧計用カフ１５０を緩く装着した場合に、従来の構造に比べて、カーラ１９１と上腕の表面との距離を短くすることができる。その結果、血圧計を用いた血圧測定時において、血圧計用カフ１５０を緩く装着した場合であっても、流体袋１６１の容積変化の誤差を小さくすることができ、血圧測定の誤差を小さくすることが可能となる。
【手続補正１８】
【補正対象書類名】明細書
【補正対象項目名】００５４
【補正方法】変更
【補正の内容】
【００５４】
また、上記実施の形態における血圧計用カフ１５０においては、好ましい例として第１変曲点Ｐ１と第２変曲点Ｐ２との中心位置Ｌ１と、流体袋１６１の上腕への巻き付け方向に沿う中心位置Ｌ１とが重なるように設けられる場合について説明したが、他の形態として、第１変曲点Ｐ１と第２変曲点Ｐ２との間に位置する連結部１９１ｃに、流体袋１６１の中心位置が重なるように配置されることでも、カーラ１９１と上腕の表面との距離を従来構造よりも短くすることができる。
【手続補正１９】
【補正対象書類名】明細書
【補正対象項目名】００５５
【補正方法】変更
【補正の内容】
【００５５】
その結果、血圧計を用いた血圧測定時において、血圧計を用いた血圧測定時において、流体袋１６１の容積変化の誤差を小さくすることができ、血圧測定の誤差を小さくすることが可能となる。
【手続補正２０】
【補正対象書類名】明細書
【補正対象項目名】００５７
【補正方法】変更
【補正の内容】
【００５７】
１００  血圧計、１１０  装置本体、１２１  ＣＰＵ（Central Processing Unit）、
１２２  表示部、１２３  メモリ部、１２４  操作部、１３１  血圧測定用エア系コンポーネント、１３２  圧力センサ、１３３  膨縮機構部、１３４  ポンプ、１３５  弁、１３６  発振回路、１３７  ポンプ駆動回路、１３８  弁駆動回路、１４０  接続管、１４６  エア接続口、１５０  血圧計用カフ、１６１  流体袋、１６６  袋状カバー体、１９１，１９１Ａ，１９１Ｂ，１９１Ｃ  カーラ、１９１ａ  第１湾曲部、１９１ｂ  第２湾曲部、１９１ｃ  連結部、１９２  面ファスナ、３０１  上腕、３０２  骨、３０３  動脈、Ｐ１  第１変曲点、Ｐ２  第２変曲点。
【手続補正２１】
【補正対象書類名】特許請求の範囲
【補正対象項目名】全文
【補正方法】変更
【補正の内容】
【特許請求の範囲】
【請求項１】
被測定部位を圧迫するための流体袋と、
前記流体袋を被測定部位に向けて付勢するためのカーラと、
前記流体袋および前記カーラを収容し、前記流体袋および前記カーラを被測定部位に装着するため、被測定部位に巻きつけられる帯状形態の袋状カバー体と、を備え、
前記カーラは、被測定部位への巻き付け方向に沿う湾曲形状に成型されるとともに、曲率半径が変化する第１変曲点と第２変曲点とを含み、
前記第１変曲点と前記第２変曲点との間は、前記第１変曲点および前記第２変曲点の、それぞれの前記カーラの端部側の前記カーラを曲率に沿って延長した位置よりも内側となるように成型され、
前記第１変曲点と前記第２変曲点との中心位置と、前記流体袋の被測定部位への巻き付け方向に沿う中心位置とが重なるように設けられる、血圧情報測定装置用カフ。
【請求項２】
前記第１変曲点と前記第２変曲点との間は直線となる領域を有する、請求項１に記載の血圧情報測定装置用カフ。
【請求項３】
前記第１変曲点と前記第２変曲点との距離は、約２０ｍｍ〜約６０ｍｍである、請求項２に記載の血圧情報測定装置用カフ。
【請求項４】
被測定部位を圧迫するための流体袋と、
前記流体袋を被測定部位に向けて付勢するためのカーラと、
前記流体袋および前記カーラを収容し、前記流体袋および前記カーラを被測定部位に装着するため、被測定部位に巻きつけられる帯状形態の袋状カバー体と、を備え、
前記カーラは、被測定部位への巻き付け方向に沿う湾曲形状に成型されるとともに、曲率半径が変化する第１変曲点と第２変曲点とを含み、
前記第１変曲点と前記第２変曲点との間は、前記第１変曲点および前記第２変曲点のそれぞれの前記カーラの端部側の前記カーラを曲率に沿って延長した位置よりも内側となるように成型され、
前記第１変曲点と前記第２変曲点との間の前記カーラと、前記流体袋の中心位置とが重なるように配置される、血圧情報測定装置用カフ。
【請求項５】
請求項１から４のいずれかに記載の血圧情報測定装置用カフと、
前記流体袋を膨縮させる膨縮機構と、
血圧情報を取得する血圧情報取得部と、
を備えた、血圧情報測定装置。